(57)【要約】      （修正有）【課題】木酢液や竹酢液を使用することなく、消臭効果を有する消臭組成物の提供。【解決手段】植物をアルコールに浸漬させて抽出した植物抽出物と、イオン性物質と、を含む消臭組成物。前記植物が竹であることが好ましく、イオン性物質が、銀イオン又は珪酸イオンであることが好ましい消臭組成物。【選択図】なし【特許請求の範囲】
【請求項１】
植物をアルコールに浸漬させて抽出した植物抽出物と、イオン性物質と、を含むことを特徴とする消臭組成物。
【請求項２】
前記植物が竹であることを特徴とする請求項１に記載の消臭組成物。
【請求項３】
前記イオン性物質が銀イオンまたは珪酸イオンであることを特徴とする請求項１または２のいずれかに記載の消臭組成物。
【請求項４】
植物をアルコールに浸漬させて抽出物を得る工程と、
前記抽出物にイオン性物質を混合し、当該イオン性物質を溶解させる工程と、を含むことを特徴とする消臭組成物の製造方法。
【請求項５】
前記植物が竹であることを特徴とする請求項４に記載の消臭組成物の製造方法。
【請求項６】
前記イオン性物質が銀イオンまたは珪酸イオンであることを特徴とする請求項４または５のいずれかに記載の消臭組成物の製造方法。
【発明の詳細な説明】
【技術分野】
【０００１】  本発明は、植物抽出物とイオン性物質とを含む消臭組成物およびその製造方法に関する。
【背景技術】
【０００２】  従来、木酢液や竹酢液を主成分とする組成物が知られており、木酢液や竹酢液に金属イオンを添加した組成物は、殺菌剤、殺藻剤、栄養補給剤、消臭剤に用いられることが知られている（特許文献１）。
【先行技術文献】
【０００３】
【特許文献１】  特開２０１３−２３１００７
【発明の概要】
【発明が解決しようとする課題】
【０００４】  しかしながら、木酢液や竹酢液は、消臭作用や洗浄作用がある一方、酸性が強く、その原液は希釈して使用しなければならず、希釈した木酢液や竹酢液については、その機能が充分ではなくなる場合がある。
【課題を解決するための手段】
【０００５】  そこで本発明者らは、上記課題を解決すべく鋭意研究した結果、木酢液や竹酢液を使用することなく、消臭効果を有する消臭組成物を開発するに至り、本発明を完成するに至った。【０００６】  すなわち、本発明に係る消臭組成物は、植物をアルコールに浸漬させて抽出した植物抽出物と、イオン性物質と、を含むことを特徴とする。【０００７】  本発明によれば、植物をアルコールに浸漬させることで、消臭に有効な成分を抽出しやすくする。イオン性物質をも含むため、イオン性物質と植物抽出物との相乗効果により、より消臭効果を高めることができる。【０００８】  また、上記植物が竹であることが好ましい。竹を用いることで、エタノールに浸漬させた竹から有効成分が抽出される。これにより、木酢液や竹酢液を用いた場合の希釈などによる消臭効果の低減が生じることなく、より消臭効果を高めることが可能となる。【０００９】  また、上記イオン性物質は銀イオンまたは珪酸イオンであることが好ましい。【００１０】  これにより、植物抽出物との相乗効果により、より消臭効果を高めることができる。【００１１】  さらに、本発明に係る消臭組成物の製造方法は、植物をアルコールに浸漬させて抽出物を得る工程と、上記抽出物にイオン性物質を混合し、当該イオン性物質を溶解させる工程と、を含むことを特徴としている。【００１２】  本発明によれば、植物をアルコールに浸漬させることで消臭に有効な成分を抽出しやすくする。イオン性物質も含むため、イオン性物質と植物抽出物との相乗効果により、より消臭効果を高めた消臭組成物を得ることができる。【００１３】  また、上記植物が竹であることが好ましい。竹を用いることで、エタノールに浸漬させた竹から有効成分が抽出される。これにより、木酢液や竹酢液を用いた場合の希釈などによる消臭効果の低減が生じることなく、より消臭効果を高めた消臭組成物を得ることが可能となる。【００１４】  また、上記イオン性物質は銀イオンまたは珪酸イオンであることが好ましい。【００１５】  これにより、植物抽出物との相乗効果により、より消臭効果を高めた消臭組成物を得ることができる。
【発明の効果】
【００１６】  本発明によれば、植物をアルコールに浸漬させることで、消臭に有効な成分を抽出しやすくする。イオン性物質も含むため、イオン性物質と植物抽出物との相乗効果により、より消臭効果を高めることができる。
【発明を実施するための形態】
【００１７】  本発明の好ましい実施形態の一態様としての消臭組成物は、植物をアルコールに浸漬させて抽出した植物抽出物と、イオン性物質と、を含む。
【００１８】  植物としては、竹を用いることができる。
【００１９】  竹は、一般的な竹であれば、公知の竹を用いることができる。竹としては、例えば、真竹、孟宗竹、淡竹、女竹、黒竹、布袋竹、四方竹、唐竹、隈笹、千島笹、都笹等のその他の竹を挙げることができる。公知の竹であればどのような種類の竹でも用いることができるが、比較的若い青竹を用いることが好ましい。青竹を用いることで、消臭に有効な成分を取り出すことが可能になる。
【００２０】  アルコールは、メタノール、エタノール等、公知のアルコール類を用いることができるが、エタノールを用いることが好ましい。エタノールを用いることにより、竹の有効成分の抽出効率を向上させることができる。
【００２１】  イオン性物質は、公知のイオン性物質を用いることができるが、好ましくは、銀イオンまたは珪酸イオンである。銀イオンまたは珪酸イオンを用いることにより、消臭に有効な竹の成分との相乗効果を期待することができる。
【００２２】  そして、本発明の好ましい実施形態の一態様として、消臭組成物の製造方法は、植物をアルコールに浸漬させて抽出物を得る工程と、上記抽出物にイオン性物質を混合し、当該イオン性物質を溶解させる工程と、を含む。
【００２３】  この消臭組成物の製造方法では、まず、竹を短冊状に切断する。次に短冊状の竹をアルコールに浸漬させる。
【００２４】  竹は、アルコール１０００重量部あたり、５００〜１０００重量部、好ましくは、６００〜９００重量部、より好ましくは、７００〜８００重量部を浸漬させることが好ましい。これにより、消臭に有効な竹の成分を充分に抽出することができる。
【００２５】  イオン性物質は、アルコール１０００重量部あたり、１〜１００００ｐｐｍ、好ましくは１０〜１０００ｐｐｍ、より好ましくは、１００〜９００ｐｐｍ溶解させる。これにより、消臭に有効な竹の成分との相乗効果を高めることができる。
【００２６】  浸漬期間は、特に制限されないが、３日間〜１ヶ月、好ましくは、５日間〜３週間、より好ましくは、１週間〜２週間である。これにより、消臭に有効な竹の成分を充分に抽出することができる。
【００２７】  浸漬温度は、特に制限されないが、１５〜６０℃、このましくは２０〜５０℃、より好ましくは、常温〜４０℃である。これにより、消臭に有効な竹の成分を効率的に抽出することができる。
このようにして得られた消臭組成物は、液体組成物として用いることができるが、液体成分（エタノールや水分等）を真空乾燥機において除去し、粉末組成物として、保管および使用することもできる。
【実施例】
【００２８】  （消臭組成物１の製造）
市販の青竹または伐採により入手した青竹を２ｃｍ×１０ｃｍ程度の大きさに切断し、エタノール１０００重量部に対して８００重量部の切断した青竹を浸漬させる。これに、硝酸銀（高純度化学社製）を銀イオンとして５００重量部となるように混合し、そのまま、常温で２週間放置する。この間、エタノール中に青竹の有効成分が抽出されつつ、銀イオンが溶解する。この抽出液中の青竹を取り除き、抽出液のみを取り出す。【００２９】（消臭組成物２の製造）
市販の青竹または伐採により入手した青竹を２ｃｍ×１０ｃｍ程度の大きさに切断し、エタノール１０００重量部に対して８００重量部の切断した青竹を浸漬させる。これに、珪酸ナトリウム（高純度化学社製）を珪酸イオンとして５００重量部となるように混合し、そのまま、常温で２週間放置する。この間、エタノール中に青竹の有効成分が抽出されつつ、銀イオンが溶解する。この抽出液中の青竹を取り除き、抽出液のみを取り出す。【００３０】  本発明の一実施形態に係る消臭組成物１または２を用いて、人が使用した後の居室にふりまき、１５分経過後の臭いを確認したところ、臭いが確認されなかった。【００３１】  本発明は上記実施の形態に限定されず、種々の変更が可能である。例えば、イオン性物質およびアルコールによって抽出された竹の抽出液以外に、ナノレベルの焼成カルシウムやその他の成分を含んでいても良い。【００３２】  また、上記実施の形態では、イオン性物質として、銀イオン、珪酸イオンを別々に用いた消臭組成物を用いたが、例えば、銀イオンと珪酸イオンとは同時に用いても良い。
【産業上の利用可能性】
【００３３】  本発明によれば、木酢液や竹酢液を使用することなく、消臭効果を有する消臭組成物を提供することが可能となる。本発明の消臭組成物は、液体状で使用することもできるし、液体を真空乾燥機で除去することにより、粉末状で使用することもできる。本発明の消臭組成物は、家庭用消臭剤としてのみならず、宿泊施設、観光施設、大型商業施設や、各施設の喫煙所、トイレ等の臭いが強い場所等に使用することが可能となる。